(57)【要約】信号通信のためのシステムおよび方法。第１および第２の音声信号が、一般的なブルートゥース規格に従って、ブルートゥーストランシーバＴによって第１のチャンネルおよび第２のチャンネル経由でブルートゥーストランシーバＴ１およびＴ２にそれぞれ無線で送信される。トランシーバＴ１およびＴ２はそれぞれ第１および第２のイヤホンから成り、第１および第２のイヤホンはそれぞれ人が第１および第２音声信号を聞くのに十分なやり方で人の第１の耳および第２の耳の内部または背部に取り付けられる。第１および第２の音声信号は組み合わされて、ステレオ信号を構成する。第１および第２のイヤホンは、ヘッドセットまたは人の頭に取り付けるようにされたいかなる機械的装置によっても、互いに機械的に接続されることはない。
2006509413.tif 000002
【特許請求の範囲】
【請求項１】
第１のブルートゥーストランシーバＴ１を有する第１のイヤホンであって、前記トランシーバＴ１はブルートゥーストランシーバＴから第１のチャンネル経由で無線で送信される第１の音声信号を受信するようにされ、前記第１の音声信号は一般的なブルートゥース規格に従って前記トランシーバＴによって送信され前記トランシーバＴ１によって受信され、前記第１のイヤホンは人が前記第１の音声信号を聞くのに十分なやり方で前記人の第１の耳の内部または背部に取り付けるようにされる、第１のイヤホンと、
第２のブルートゥーストランシーバＴ２を有する第２のイヤホンであって、前記トランシーバＴ２は前記トランシーバＴから第２のチャンネル経由で無線で送信される第２の音声信号を受信するようにされ、前記第２の音声信号は一般的なブルートゥース規格に従って前記トランシーバＴによって送信され前記トランシーバＴ２によって受信され、前記第２のイヤホンは前記人が前記第２の音声信号を聞くのに十分なやり方で前記人の第２の耳の内部または背部に取り付けられるようにされ、前記第１の音声信号と前記第２の音声信号との前記組み合わせは、ステレオ信号であり、前記第１のイヤホンと前記第２のイヤホンとは、前記人の頭に取り付けられるようにされるヘッドセットまたは他のいかなる機械的装置によっても互いに機械的に接続されることがない、第２のイヤホンと、
を備えることを特徴とする、信号通信用システム。
【請求項２】
前記第１のイヤホンと前記第２のイヤホンとは、いかなる機械的装置によっても互いに機械的に接続されていないことを特徴とする、請求項１に記載のシステム。
【請求項３】
前記第１のイヤホンと前記第２のイヤホンとは、それぞれ前記第１の耳と前記第２の耳との耳殻のくぼみ内に取り付けられるようにされることを特徴とする、請求項１に記載のシステム。
【請求項４】
前記第１のイヤホンと前記第２のイヤホンとはそれぞれ前記第１の耳と前記第２の耳との管状構造内に取り付けられるようにされるが、全体が耳殻のくぼみにはなく、前記第１のイヤホンと前記第２のイヤホンとは前記第１の耳と前記第２の耳とを普通に観察する者には基本的に目に見えることを特徴とする、請求項１に記載のシステム。
【請求項５】
前記第１のイヤホンと前記第２のイヤホンとはそれぞれ、前記第１の耳と前記第２の耳との管状構造内に原則的に取り付けられるようにされるが、前記第１のイヤホンと前記第２のイヤホンとは前記第１の耳と前記第２の耳とを普通に観察する者には基本的に目に見えないことを特徴とする、請求項１に記載のシステム。
【請求項６】
前記第１のイヤホンと前記第２のイヤホンとはそれぞれ、前記第１の耳と前記第２の耳との背部に取り付けられるようにされることを特徴とする、請求項１に記載のシステム。
【請求項７】
前記第１のイヤホンと前記第２のイヤホンとは前記人から前記トランシーバＴへの音声振動の送信を容易にさせるようにはされていないことを特徴とする、請求項１に記載のシステム。
【請求項８】
前記第１の音声信号と前記第２の音声信号とはそれぞれ音楽信号の第１のステレオ成分と第２のステレオ成分とであることを特徴とする、請求項１に記載のシステム。
【請求項９】
前記第１の音声信号は前記トランシーバＴによって前記トランシーバＴ１へ、約１ミリワット以下の電力で送信されるようにされ、前記第２の音声信号は前記トランシーバＴによって前記トランシーバＴ２へ、約１ミリワット以下の電力で送信されるようにされることを特徴とする、請求項１に記載のシステム。
【請求項１０】
前記トランシーバＴによって送信される際の前記第１の音声信号の有効範囲は、約１０メータ以下であり、前記トランシーバＴによって送信される際の前記第２の音声信号の有効範囲は、約１０メータ以下であることを特徴とする、請求項１に記載のシステム。
【請求項１１】
前記第１の音声信号と前記第２の音声信号とは、前記トランシーバＴに電気的に結合される情報源装置によって発生されることを特徴とする、請求項１に記載のシステム。
【請求項１２】
前記情報源装置はコンパクトディスク（ＣＤ）プレーヤ、カセットテーププレーヤ、またはエムペグ（Ｍｏｖｉｎｇ  Ｐｉｃｔｕｒｅ  Ｅｘｐｅｒｔｓ  Ｇｒｏｕｐ）オーディオレイヤースリー（ＭＰ３）プレーヤであることを特徴とする、請求項１１に記載のシステム。
【請求項１３】
前記トランシーバＴは、前記情報源装置内に配置される半導体チップからなることを特徴とする、請求項１１に記載のシステム。
【請求項１４】
前記トランシーバＴは前記情報源装置の外部に配置され、前記情報源装置のライン出力チャンネルを介して前記情報源装置に電気的に接続されていることを特徴とする、請求項１１に記載のシステム。
【請求項１５】
前記第１の音声信号と前記第２の音声信号とは、配線を介してブルートゥーストランシーバＴＳに電気的に結合される情報源装置によって発生され、前記トランシーバＴＳは一般的なブルートゥース規格に従って異なるチャンネル経由で前記第１の音声信号と前記第２の音声信号とを無線で前記トランシーバＴに送信するようにされ、前記トランシーバＴは前記第１の音声信号と前記第２の音声信号とのリピータトランシーバであることを特徴とする、請求項１に記載のシステム。
【請求項１６】
前記情報源装置はコンパクトディスク（ＣＤ）プレーヤ、カセットテーププレーヤ、またはエムペグオーディオレイヤースリー（ＭＰ３）プレーヤであることを特徴とする、請求項１５に記載のシステム。
【請求項１７】
前記トランシーバＴは、前記情報源装置内に配置される半導体チップからなることを特徴とする、請求項１５に記載のシステム。
【請求項１８】
前記トランシーバＴは前記情報源装置の外部に配置され、前記情報源装置へのラインアウトポートを介して前記情報源装置に電気的に接続されていることを特徴とする、請求項１５に記載のシステム。
【請求項１９】
前記第１の音声信号は前記トランシーバＴＳによって前記トランシーバＴへ、約１ミリワット以下の電力で送信されるようにされ、前記第２の音声信号は前記トランシーバＴＳによって前記トランシーバＴへ、約１ミリワット以下の電力で送信されるようにされることを特徴とする、請求項１５に記載のシステム。
【請求項２０】
前記トランシーバＴＳによって送信される際の前記第１の音声信号の有効範囲は約１０メータ以下であり、前記トランシーバＴＳによって送信される際の前記第２の音声信号の有効範囲は約１０メータ以下であることを特徴とする、請求項１５に記載のシステム。
【請求項２１】
ブルートゥーストランシーバＴによって第１のチャンネル経由で送信された第１の音声信号を第１のブルートゥーストランシーバＴ１によって無線で受信する過程であって、前記第１の音声信号は一般的なブルートゥース規格に従って前記トランシーバＴによって送信され、前記トランシーバＴ１によって受信され、前記トランシーバＴは、人が前記第１の音声信号を聞くのに十分なやり方で前記人の第１の耳の内部または背部に取り付けられる第１のイヤホンから成る、過程と、
前記トランシーバＴによって第２のチャンネル経由で送信された第２の音声信号を第２のブルートゥーストランシーバＴ２によって無線で受信する過程であって、前記第２の音声信号は一般的なブルートゥース規格に従って前記トランシーバＴによって送信され、前記トランシーバＴ２によって受信され、前記ブルートゥーストランシーバＴは、前記人が前記第２の音声信号を聞くのに十分なやり方で前記人の第２の耳の内部または背部に取り付けられる第２のイヤホンから成り、前記第１の音声信号と前記第２の音声信号との組み合わせはステレオ信号であり、前記第１のイヤホンと前記第２のイヤホンとは、ヘッドセットまたは前記人の頭に取り付けるようにされるいかなる機械的装置によっても互いに機械的に接続されることがない、過程と、
を備えることを特徴とする、信号通信方法。
【請求項２２】
前記第１のイヤホンと前記第２のイヤホンとは、いかなる機械的装置によっても互いに機械的に接続されていないことを特徴とする、請求項２１に記載の方法。
【請求項２３】
前記第１のイヤホンと前記第２のイヤホンとは、それぞれ前記第１の耳と前記第２の耳との耳殻のくぼみ内に取り付けられるようにされることを特徴とする、請求項２１に記載の方法。
【請求項２４】
前記第１のイヤホンと前記第２のイヤホンとはそれぞれ前記第１の耳と前記第２の耳との管状構造内に取り付けられるが、全体が耳殻のくぼみにはなく、前記第１のイヤホンと第２のイヤホンとは前記第１の耳と前記第２の耳とを普通に観察する者には基本的に目に見えることを、請求項２１に記載の方法。
【請求項２５】
前記第１のイヤホンと前記第２のイヤホンとはそれぞれ、前記第１の耳と前記第２の耳との管状構造内に取り付けられ、前記第１のイヤホンと前記第２のイヤホンとは前記第１の耳と前記第２の耳とを普通に観察する者には基本的に目に見えないことを特徴とする、請求項２１に記載の方法。
【請求項２６】
前記第１のイヤホンと前記第２のイヤホンとはそれぞれ、前記第１の耳と前記第２の耳との背部に取り付けられることを特徴とする、請求項２１に記載の方法。
【請求項２７】
前記第１のイヤホンと前記第２のイヤホンとは前記人から前記トランシーバＴへの音声振動の送信を容易にさせるようにはされていないことを特徴とする、請求項２１に記載の方法。
【請求項２８】
前記第１の音声信号と前記第２の音声信号とはそれぞれ音楽信号の第１のステレオ成分と第２のステレオ成分とであることを特徴とする、請求項２１に記載の方法。
【請求項２９】
前記第１の音声信号は前記トランシーバＴによって前記トランシーバＴ１へ、約１ミリワット以下の電力で送信され、前記第２の音声信号は前記トランシーバＴによって前記トランシーバＴ２へ、約１ミリワット以下の電力で送信されるようにされることを特徴とする、請求項２１に記載の方法。
【請求項３０】
前記トランシーバＴによって送信される際の前記第１の音声信号の有効範囲は、約１０メータ以下であり、前記トランシーバＴによって送信される際の前記第２の音声信号の有効範囲は、約１０メータ以下であることを特徴とする、請求項２１に記載の方法。
【請求項３１】
情報源装置が配線によって前記トランシーバＴに電気的に結合され、前記第１の音声信号と前記第２の音声信号とは前記情報源装置によって発生されることを特徴とする、請求項２１に記載の方法。
【請求項３２】
前記情報源装置はコンパクトディスク（ＣＤ）プレーヤ、カセットテーププレーヤ、またはエムペグ（Ｍｏｖｉｎｇ  Ｐｉｃｔｕｒｅ  Ｅｘｐｅｒｔｓ  Ｇｒｏｕｐ）オーディオレイヤースリー（ＭＰ３）プレーヤであることを特徴とする、請求項３１に記載の方法。
【請求項３３】
前記トランシーバＴは、前記情報源装置内に配置される半導体チップからなることを特徴とする、請求項３１に記載の方法。
【請求項３４】
前記トランシーバＴは前記情報源装置の外部に配置され、前記情報源装置のライン出力チャンネルを介して前記情報源装置に電気的に接続されていることを特徴とする、請求項３１に記載の方法。
【請求項３５】
前記第１の音声信号と前記第２の音声信号とは、配線を介してブルートゥーストランシーバＴＳに電気的に結合される情報源装置によって発生され、前記第１の音声信号と前記第２の音声信号とは前記トランシーバＴＳによって一般的なブルートゥース規格に従って異なるチャンネル経由で前記トランシーバＴに無線で送信され、前記トランシーバＴは前記第１の音声信号と前記第２の音声信号とのリピータトランシーバであることを特徴とする、請求項２１に記載の方法。
【請求項３６】
前記情報源装置はコンパクトディスク（ＣＤ）プレーヤ、カセットテーププレーヤ、またはエムペグオーディオレイヤースリー（ＭＰ３）プレーヤであることを特徴とする、請求項３５に記載の方法。
【請求項３７】
前記トランシーバＴは、前記情報源装置内に配置される半導体チップからなることを特徴とする、請求項３５に記載の方法。
【請求項３８】
前記トランシーバＴは前記情報源装置の外部に配置され、前記情報源装置へのラインアウトポートを介して前記情報源装置に電気的に接続されていることを特徴とする、請求項３５に記載の方法。
【請求項３９】
前記第１の音声信号は前記トランシーバＴＳによって約１ミリワット以下の電力で送信され、前記第２の音声信号は前記トランシーバＴＳから約１ミリワット以下の電力で送信されることを特徴とする、請求項３５に記載の方法。
【請求項４０】
前記トランシーバＴＳから前記トランシーバＴへ送信される際の前記第１の音声信号の有効範囲は約１０メータ以下であり、前記トランシーバＴＳから前記トランシーバＴへ送信される際の前記第２の音声信号の有効範囲は約１０メータ以下であることを特徴とする、請求項３５に記載の方法。
【発明の詳細な説明】
【技術分野】
【０００１】
本発明は一般的に、信号通信システムおよび方法に関し、特に、人が、互いに機械的には接続されていないイヤホン（イヤピース）を用いてステレオ信号を受信する、信号通信システムおよび方法に関する。
【発明の開示】
【発明が解決しようとする課題】
【０００２】
家庭用電子機器から無線周波数送信し、携帯型受信装置（例えばヘッドセット）にこのような送信を受信させることは、非実用的である。このような送信は高い電力を消費するため、携帯型受信装置に電力を供給する電池を極めて頻繁に取り替えなくてはならなくなるからである。故に、家庭用電子機器から携帯型受信装置へ低電力で信号を通信する、システムおよび方法の必要性がある。
【課題を解決するための手段】
【０００３】
本発明は、信号通信用システムを提供し、このシステムは第１のブルートゥーストランシーバＴ１を有する第１のイヤホンであって、トランシーバＴ１はブルートゥーストランシーバＴから第１のチャンネル経由で無線で送信される第１の音声信号を受信するようにされ、第１の音声信号は一般的なブルートゥース規格に従ってトランシーバＴによって送信されトランシーバＴ１によって受信され、第１のイヤホンは人が第１の音声信号を聞くのに十分なやり方で人の第１の耳の内部または背部に取り付けるようにされる、第１のイヤホンと、第２のブルートゥーストランシーバＴ２を有する第２のイヤホンであって、トランシーバＴ２はトランシーバＴから第２のチャンネル経由で無線で送信される第２の音声信号を受信するようにされ、第２の音声信号は一般的なブルートゥース規格に従ってトランシーバＴによって送信されトランシーバＴ２によって受信され、第２のイヤホンは人が第２の音声信号を聞くのに十分なやり方で人の第２の耳の内部または背部に取り付けられるようにされ、第１の音声信号と第２の音声信号との組み合わせは、ステレオ信号であり、第１のイヤホンと第２のイヤホンとは、人の頭に取り付けられるようにされるヘッドセットまたは他のいかなる機械的装置によっても互いに機械的に接続されることがない、第２のイヤホンと、を備える。
【０００４】
本発明は信号通信方法を提供し、この方法は、ブルートゥーストランシーバＴによって第１のチャンネル経由で送信された第１の音声信号を第１のブルートゥーストランシーバＴ１によって無線で受信する過程であって、第１の音声信号は一般的なブルートゥース規格に従ってトランシーバＴによって送信され、トランシーバＴ１によって受信され、トランシーバＴは、人が第１の音声信号を聞くのに十分なやり方で人の第１の耳の内部または背部に取り付けられる第１のイヤホンから成る、過程と、トランシーバＴによって第２のチャンネル経由で送信された第２の音声信号を第２のブルートゥーストランシーバＴ２によって無線で受信する過程であって、第２の音声信号は一般的なブルートゥース規格に従ってトランシーバＴによって送信され、トランシーバＴ２によって受信され、ブルートゥーストランシーバＴは、人が第２の音声信号を聞くのに十分なやり方で人の第２の耳の内部または背部に取り付けられる第２のイヤホンから成り、第１の音声信号と第２の音声信号との組み合わせはステレオ信号であり、第１のイヤホンと第２のイヤホンとは、ヘッドセットまたは人の頭に取り付けるようにされるいかなる機械的装置によっても互いに機械的に接続されることがない、過程と、を備える。
【発明の効果】
【０００５】
本発明は、家庭用電子機器から携帯型受信装置へ、すなわち人の耳の内部または背部に装着するようにされる、左側および右側のイヤホンへの信号通信を行う、低電力システムおよび方法を利点をもって提供する。イヤホンは、互いに機械的には接続されていないという利点を有する。
【発明を実施するための最良の形態】
【０００６】
ブルートゥースは、特に家庭用電子機器（例えばコンパクトディスク（ＣＤ）プレーヤ、カセットテーププレーヤ、エムペグ（Ｍｏｖｉｎｇ  Ｐｉｃｔｕｒｅ  Ｅｘｐｅｒｔｓ  Ｇｒｏｕｐ）オーディオレイヤースリー（ＭＰ３）プレーヤ、電話、携帯電話、コンピュータなど）などの様々な電子機器が所定の通信プロトコルに従って無線で他の電子機器と接続することを可能とする、電子機器製造業者のグループによって開発された規格である。各ブルートゥース通信機器は、許容無線周波数で通信機器に組み込まれた小さなトランシーバ（すなわち送信機および受信機）を有する。本発明で開示される信号通信システムは、ブルートゥーストランシーバ、すなわち一般的なブルートゥース規格に従って互いに無線で通信するトランシーバを備えている。一般的なブルートゥース規格というものは時が経って無線技術が発達するに従って変わっていくこともあるため、静的というよりは動的な規格である。一般的なブルートゥース規格は、その範囲が国際的な、合意に基づいた規格である。この特許用の開示内容が創案されている時点で、一般的なブルートゥース規格は以下のウェブサイトで確認することが可能である。ｈｔｔｐ：／／ｗｗｗ．ｂｌｕｅｔｏｏｔｈ．ｏｒｇ／ｓｐｅｃｉｆｉｃａｔｉｏｎｓ．ｈｔｍ。図１は、ブルートゥーストランシーバ（Ｔ）と、人１８との間で本発明の実施形態に従ってステレオ信号通信を行う、信号通信システム１０を示す。トランシーバＴは電気的に信号情報源（ソース）装置１４に結合され、情報源装置１４内に配置されている。情報源装置１４は、第１の音声信号Ｓ１と第２の音声信号Ｓ２とを発生する。トランシーバＴは、情報源装置１４内部に配置される半導体チップから成ってもよい。
【０００７】
第１の音声信号Ｓ１および第２の音声信号Ｓ２は組み合わせることにより、ステレオ信号を構成する。例えば、第１の音声信号Ｓ１と第２の音声信号Ｓ２とはそれぞれ音楽信号の第１のステレオ成分および第２のステレオ成分であってもよい。
【０００８】
トランシーバＴは無線で第１の音声信号Ｓ１を第１のチャンネル経由で第１のブルートゥーストランシーバ（Ｔ１）に送信する。トランシーバＴは無線で第２の音声信号Ｓ２を第２のチャンネル経由で第２のブルートゥーストランシーバ（Ｔ２）に送信する。
【０００９】
第１の音声信号Ｓ１および第２の音声信号Ｓ２はトランシーバＴによって送信され、一般的なブルートゥース規格に従ってそれぞれトランシーバＴ１およびＴ２によって受信される。トランシーバＴは第１の音声信号Ｓ１および第２の音声信号Ｓ２をそれぞれ低電力、特に、約１ミリワットを越えない電力で送信する。低電力によりトランシーバＴ１およびＴ２（そして、トランシーバＴが電池式の場合、トランシーバＴも）に電力を供給する電池の寿命が維持される。低電力により、第１の音声信号Ｓ１および第２の音声信号Ｓ２はそれぞれ、特にトランシーバＴから１０メートルなど、有効範囲が限られる。このように、トランシーバＴとトランシーバＴ１との距離Ｄ１は約１０メートル以下に限られてもよく、トランシーバＴとトランシーバＴ２との距離Ｄ２は約１０メートル以下に限られてもよい。
【００１０】
情報源装置１４は、例えば特に、コンパクトディスク（ＣＤ）プレーヤ、カセットテーププレーヤ、エムペグオーディオレイヤースリー（ＭＰ３）プレーヤなどを含む家庭用電子機器のように、第１の音声信号Ｓ１および第２の音声信号Ｓ２を発生することができればいかなる装置であってもよい。
【００１１】
トランシーバＴ１はイヤホン１１内に配置される。イヤホン１１は人１８が第１の音声信号Ｓ１を聞くのに十分なやり方で人１８の第１の耳１の内部、または背部に配置される。トランシーバＴ２はイヤホン１２内に配置される。イヤホン１２は、人１８が第２の音声信号Ｓ２を聞くのに十分なやり方で人１８の第２の耳２の内部、または背部に配置される。人１８の第１の耳１は、人１８の左耳または右耳のどちらかである。第１の耳１が人１８の左耳であった場合、第２の耳２は人１８の右耳である。第１の耳１が人１８の右耳であった場合、第２の耳２は人１８の左耳である。ヘッドセットまたは人の頭１６に取り付けるようにされたいかなる機械的装置によっても、または一般的ないかなる機械的装置によっても、イヤホン１１およびイヤホン１２が互いに機械的に接続されることはない。図１におけるイヤホン１１およびイヤホン１２をそれぞれ耳１および耳２の内部または背部に配置する様々な方法が図４乃至７との関連で、以下に記載される。付け加えると、イヤホン１１およびイヤホン１２はそれぞれ、人１８からトランシーバＴへの音声振動の送信を容易にさせるようにはされていない。
【００１２】
図２は、ブルートゥーストランシーバ（Ｔ）と人１８との間のステレオ信号通信のための図１の信号通信システム１０を示し、ブルートゥーストランシーバＴは信号情報源装置１４の外部に置かれ、本発明の実施形態によって配線、例えば特に、情報源装置１４のライン出力チャンネル１５によって信号情報源装置１４に電気的に結合されている。他の全てに関しては、上に図１との関連で記載した構造、機能性、特徴は、図２に適用される。
【００１３】
一般的に、トランシーバＴは無線または配線のどちらかによって情報源装置１４に電気的に接続される。トランシーバＴが無線で情報源装置１４に電気的に結合された場合、情報源装置１４は、情報源装置１４とトランシーバＴとの無線電気結合を達成するためのブルートゥーストランシーバを有する。このような無線電気結合の例が図３に示され、ここではトランシーバＴは以下に記載されるトランシーバＴＲに置き換えられている。
【００１４】
図３は、本発明の実施形態に従った、ブルートゥーストランシーバ（ＴＳ）と人１８との間のステレオ信号通信のための信号通信システム４０を示す。トランシーバＴＳは、第１の音声信号Ｓ１および第２の音声信号Ｓ２を発生するようにされた、信号情報源装置１４内に配置される。トランシーバＴＳは、配線によって電気的に信号情報源装置１４に結合されても良い。例えば、トランシーバＴＳは、図示のように、情報源装置１４の内部に配置された半導体チップから成ってもよい。あるいは、トランシーバＴＳは信号情報源装置１４の外部に置かれ、図２においてトランシーバＴを情報源装置１４に電気的に結合するライン出力チャンネル１５のような情報源装置１４のライン出力チャンネルを介して信号情報源装置１４に電気的に結合されてもよい。
【００１５】
図３において、第１の音声信号Ｓ１と第２の音声信号Ｓ２とは組み合わされて、ステレオ信号を構成する。例えば、第１の音声信号Ｓ１と第２の音声信号Ｓ２とはそれぞれ、音楽信号の第１のステレオ成分および第２のステレオ成分であってよい。トランシーバＴＳは、第１の音声信号Ｓ１をチャンネルＣ１経由でブルートゥースリピータトランシーバ（ＴＲ）へ無線で送信し、トランシーバＴＲは第１の音声信号Ｓ１をチャンネルＣ２経由で第１のブルートゥーストランシーバ（Ｔ１）へ無線で送信する。
【００１６】
チャンネルＣ１およびＣ２は、同じチャンネルであっても異なるチャンネルであってもよい。トランシーバＴＳは、第２の音声信号Ｓ２をチャンネルＣ３経由でトランシーバＴＲに無線で送信し、トランシーバＴＲは、チャンネルＣ４経由で第２の音声信号Ｓ２を無線で第２のブルートゥーストランシーバ（Ｔ２）に送信する。チャンネルＣ３およびＣ４は、同じチャンネルであっても、異なるチャンネルであってもよい。
【００１７】
第１の音声信号Ｓ１および第２の音声信号Ｓ２は、一般的なブルートゥース規格に従って、トランシーバＴＳからトランシーバＴＲへ送信され、次にトランシーバＴＲからトランシーバＴ１およびＴ２にそれぞれ送信される。トランシーバＴＳおよびＴＲはそれぞれ、第１の音声信号Ｓ１および第２の音声信号Ｓ２を、それぞれ低電力で、特に、約１ミリワット未満の電力で送信する。低電力により、トランシーバＴＲ、Ｔ１、およびＴ２（そしてトランシーバＴＳが電池式の場合、トランシーバＴＳも）に電力を供給する電池の寿命が維持される。この低電力により、第１の音声信号Ｓ１と第２の音声信号Ｓ２とはそれぞれ特に、トランシーバＴＳからそしてトランシーバＴＲへ１０メートル、そしてトランシーバＴＲから各トランシーバＴ１およびＴ２へ１０メートルのような限定された有効範囲を持つ。このように、トランシーバＴＳとトランシーバＴＲとの間の距離Ｄ３は約１０メートル以下のように制限されても良い。同様に、トランシーバＴＲとトランシーバＴ１との間の距離Ｄ１は約１０メートル以下のように制限されてもよく、トランシーバＴＲとトランシーバＴ２との間の距離Ｄ２も約１０メートル以下のように制限されてもよい。
【００１８】
情報源装置１４は、例えば特に、コンパクトディスク（ＣＤ）プレーヤ、カセットテーププレーヤ、エムペグオーディオレイヤースリー（ＭＰ３）プレーヤなどを含む家庭用電子機器のように、第１の音声信号Ｓ１および第２の音声信号Ｓ２を発生することができればいかなる装置であってもよい。
【００１９】
トランシーバＴ１はイヤホン１１内に配置される。イヤホン１１は人１８が第１の音声信号Ｓ１を聞くのに十分なやり方で人１８の第１の耳１の内部、または背部に配置される。トランシーバＴ２はイヤホン１２内に配置される。イヤホン１２は、人１８が第２の音声信号Ｓ２を聞くのに十分なやり方で人１８の第２の耳２の内部、または背部に配置される。人１８の第１の耳１は、人１８の左耳または右耳のどちらかである。第１の耳１が人１８の左耳であった場合、第２の耳２は人１８の右耳である。第１の耳１が人１８の右耳であった場合、第２の耳２は人１８の左耳である。ヘッドセットまたは人の頭１６に取り付けるようにされたいかなる機械的装置によっても、または一般的ないかなる機械的装置によっても、イヤホン１１およびイヤホン１２が互いに機械的に接続されることはない。図３におけるイヤホン１１およびイヤホン１２をそれぞれ耳１および耳２の内部または背部に配置する様々な方法が図４乃至７との関連で、以下に記載される。付け加えると、イヤホン１１およびイヤホン１２はそれぞれ、人１８からトランシーバＴＲへの音声振動の送信を容易にさせるようにはされていない。
【００２０】
図４乃至８は、図１乃至３においてイヤホン１１とイヤホン１２とをそれぞれ耳１と耳２との内部または背部に配置するのに適用される、イヤホンを耳に配置する様々な方法を示している。図４乃至７では、耳２０は図１乃至３における耳１または耳２を表し、各イヤホン２４乃至２８は、図１乃至３におけるイヤホン１１またはイヤホン１２を表す。
【００２１】
図４は、図１乃至３において人１８の耳２０の耳殻のくぼみ２２内にはめ込まれる、本発明の実施形態によるイヤホン２４を示す。
【００２２】
図５は、図１乃至３における人１８の耳２０の管状構造２３にはめ込まれるが、全体的に耳殻のくぼみ２２内にはめ込まれるわけではなく、普通に耳２０を観察する人には基本的に目に見える、本発明の実施形態によるイヤホン２５を示す。イヤホン２５の最も大きな表面の５０％を越える部分が普通の観察者に見ることができた場合にイヤホン２５は「基本的に目に見える」とされ、そのように管状構造２３内に配置される。
【００２３】
図６は、図１乃至３における人１８の耳２０の管状構造２３内にはめ込まれるイヤホン２６を示し、本発明の実施形態によれば、イヤホン２６は普通に耳２０を観察する人には基本的に目に見えない。イヤホン２６は、その最も大きな表面の５０％を越えない程度しか普通の観察者には見えないとき、「基本的に目に見えない」とされ、イヤホン２６はそのように管状構造２３内に取り付けられる。
【００２４】
図７は、図１乃至３における人１８の耳２０の背部に取り付けられる、本発明の実施形態によるイヤホン２７を示す。
【００２５】
本発明の実施形態は、説明のために記載されたものであり、当業者にとっては多くの修正および変更は明白なものである。よって、添付の請求項は、本発明の真の意図および範囲に該当する、そのような修正や変更をすべて包含するものとする。
【図面の簡単な説明】
【００２６】
【図１】本発明の実施形態による、信号情報源装置内部のブルートゥーストランシーバ（Ｔ）と、それぞれ人の第１および第２の耳の内部または背部にある第１および第２のブルートゥーストランシーバ（Ｔ１およびＴ２）との間でステレオ信号通信を行うための信号通信システムを示す図。
【図２】ブルートゥーストランシーバＴが信号情報源装置の外側に配置され、信号情報源装置と電気的に結合される、本発明の実施形態による図１の信号通信システムを示す図。
【図３】信号情報源装置内部のブルートゥーストランシーバ（ＴＳ）と、それぞれ人の第１および第２の耳の内部または背部にある第１および第２のブルートゥーストランシーバ（Ｔ１およびＴ２）との間でステレオ信号通信を行い、トランシーバＴＳとトランシーバＴ１およびＴ２との間のインタフェースにはリピータブルートゥーストランシーバ（ＴＲ）がある、本発明の実施形態による信号通信システムを示す図。
【図４】本発明の実施形態に従って、人の耳の耳殻のくぼみに取り付けられるイヤホンを示す図。
【図５】人の耳の管状構造の中に取り付けられるが全体が耳殻のくぼみ内にあるわけではなく、耳を普通に観察する者にとっては基本的に目に見える、本発明の実施形態によるイヤホンを示す図。
【図６】人の耳の管状構造の中に取り付けられるが、耳を普通に観察する者にとっては基本的に目に見えない、本発明の実施形態によるイヤホンを示す図。
【図７】本発明の実施形態に従って、人の耳の背部に取り付けられるイヤホンを示す図。
【図１】
2006509413.tif 000003
【図２】
2006509413.tif 000004
【図３】
2006509413.tif 000005
【図４】
2006509413.tif 000006
【図５】
2006509413.tif 000007
【図６】
2006509413.tif 000008
【図７】
2006509413.tif 000009
【国際調査報告】
2006509413.tif 000010
2006509413.tif 000011
2006509413.tif 000012